(57)【要約】【課題】簡単な構造で、確実に、ホース折れ現象の発生を防止する。【解決手段】ホース収納部２を有する内巻き式消火栓装置１において；前記ホース収納部２の開口部５の側縁５ａと、消火栓前面板６の開口部７の側縁７ａとを、ホース折れ防止間隔で配置する。【選択図】　図１
2004121442.tif 000002
【特許請求の範囲】
【請求項１】
ホース収納部を有する内巻き式消火栓装置において；
前記ホース収納部のホース通口の近傍に、ホース折れ防止間隔で、複数のホースガイドを配設したことを特徴とする内巻き式消火栓装置。
【請求項２】
ホースガイドは、ホース収納部の開口部の側縁、消火栓前面板の開口部の側縁、ホース収納部内のうち、少なくとも２カ所に設けられるであることを特徴とする請求項１記載の内巻き式消火栓装置。
【請求項３】
ホースガイドは、ホース収納部のホース通口の側縁近傍の、ホース折れが発生する方の側のみに設けられていることを特徴とする請求項１記載の内巻き式消火栓装置。
【発明の詳細な説明】
【０００１】
【発明の属する技術分野】
この発明は、消火設備に用いられる消火栓装置に関するもので、更に述べると、保形ホースを繰り出す時にホース折れ現象が発生しない、内巻き式消火栓装置に関するものである。
【０００２】
【従来の技術】
内巻き式消火栓装置は、保形ホースを内巻きにして収納する、ホース収納部を備えている。この装置では、保形ホースの繰り出し時に、ホース収納部（ホースボックス）枠の縁、又は、角部にホースが掛かったところを鋭角的にホースが引かれた場合は、該ホースがホース最小曲げ半径よりも小さな丸みで曲げられるため折れてしまう。この現象を以下「ホース折れ現象」という。
ここで、ホース最小曲げ半径とは、ホースを折り曲げようとしたとき、ホースが折れずに丸みをもって曲がる最小曲がり半径をいう。
【０００３】
このホース折れ現象が起きると、それ以上ホースを引いても、該ホースは枠等に引っか掛かって繰り出せなくなる。そのため、操作者は、一旦ホース折れ部まで戻ってホースの折れを直さなければならないので、緊急な消火活動に支障が生じることがある。
【０００４】
そこで、このホース折れ現象を避けるための装置として、次のものが知られている。
（１）繰り出される保形ホースを、コイルスプリングによりフレキシブルに保持したホース出口なる構成を備えたもの（例えば、特許文献１参照）。
（２）床面埋設式の内巻き式消火栓装置であって、矩形の扉開口部の真下に一回り小さい矩形のホース通り口があり、このホース通口の四辺がローラーとなっているもの（例えば、特許文献２参照）。
【０００５】
【特許文献１】
特開平１０−３１４２２０号公報
【特許文献２】
実開平４−５００６８号公報
【０００６】
【発明が解決しようとする課題】
従来例は、コイルスプリング、ローラー等を使用しているので、構造が複雑であり、トラブルが発生しやすい。
【０００７】
この発明は、上記事情に鑑み、簡単な構造で、確実に、ホース折れ現象の発生を防止することを目的とする。
【０００８】
【課題を解決するための手段】
この発明は、ホース収納部を有する内巻き式消火栓装置において；前記ホース収納部のホース通口の近傍に、ホース折れ防止間隔で、複数のホースガイドを配設したことを特徴とする。
【０００９】
この発明のホースガイドは、ホース収納部の開口部の側縁、消火栓前面板の開口部の側縁、ホース収納部内のうち、少なくとも２カ所に設けられることを特徴とする。
【００１０】
この発明のホースガイドは、ホース収納部のホース通口の側縁近傍の、ホース折れが発生する方の側にのみ設けられていることを特徴とする。
【００１１】
【発明の実施の形態】
この発明の実施の形態１を図１により説明する。
内巻き式消火栓装置１には、ホース収納部２が内蔵されている。このホース収納部２には、保形ホース３が内巻きで収納されている。ホース収納部２の前面２ａには、開口部５が設けられているが、この開口部５は、ホース通口となる。この開口部５の側縁５ａは、例えば、丸棒や角棒で直線状や円弧状に形成され、固定式のホースガイドの機能を有する。
【００１２】
ホース収納部２の前面２ａは、消火栓前面板６に対向している。この前面板６には、前記開口部５と対向する開口部７が設けられているが、この開口部７は、ホース通路となる。この開口部７の側縁７ａは、円弧状に形成され、ホースガイドの機能を有する。
【００１３】
前記両側縁５ａ、７ａは、「ホース折れ防止間隔」で配設されている。ここで、「ホース折れ防止間隔」とは、ホース３が折れずに丸みを持って曲がることが出来る間隔をいい、必要に応じて適宜設計される。
【００１４】
この間隔は、該前面２ａと平行な方向の寸法、即ち、水平寸法ｄ１と、該前面２ａと垂直な方向の外側面間寸法（側縁５ａの内面づらから側縁７ａの外づら迄の寸法）即ち、前後寸法ｄ２とから構成されている。
この前後寸法ｄ２は、該「ホース３の折れない程度のホース最小曲げ半径」と比較すると、そのホース最小曲げ半径の２倍以上、或いは、前後寸法ｄ２をホース径ｄの３倍以上を採用しても良い。なお、前記「ホース３の折れない程度のホース最小曲げ半径」とは、ホースの芯半径ではなく、ホースの曲がり内側半径であり、芯半径をＲＯ（ゼロ）、ホース径をｄとすると、内側半径はＲＯーｄ／２となる。
【００１５】
前記水平寸法ｄ１は、前記前後寸法ｄ２の範囲以内である。従って、ホース収納部２の前面２ａと、前記両側縁５ａ、７ａとを結ぶ連結線９との交角θ１は４５度〜１３５度であり、連結線９と消火栓前面板６との交角θ２は、１８０度ー交角θ１である。
【００１６】
次に、この発明の実施の形態の作動について説明する。
図示しないノズルの把持部を握り、図１において保形ホース３を左斜め方向に引き出すと、該ホース３は、側縁５ａに案内されながら左方向に曲げられ、その前方内側３ａは、側縁７ａに当接して更に曲げられる。
この時、前記両側縁５ａ、７ａは、ホース折れ防止間隔で配設されているので、いくら鋭角的にホースを引いても、前記交角θ１、θ２のいずれも４５度以上であるので、ホースを両側縁５ａ，７ａに引っかけて引くと、４５度よりも鋭角に曲げて引くことができなく、又、ホース３が側縁５ａで折れようとする手前で側縁７ａに接触するので、側縁５ａにおけるそれ以上の曲げは制限される。
更に、ホース３の引き角度を鋭く（引き出しホース３を消火栓前面板６に平行に近づける）しても、逆に側縁７ａを支点としてシーソーの如く両側縁５ａ，７ａの間のホース３は、開口部７側に持ち上がるため、側縁５ａにおける折り曲げ状況は、緩くなり充分な丸みをもって曲げられるため、ホース折れ現象は発生しない。
【００１７】
この発明の実施の形態２を図２、図３により説明するが、図１と同一図面符号は、その名称も機能も同一である。
この実施の形態と前記実施の形態１との主な相違点は、ホースガイドが、内側ホースガイド２０、中間ホースガイド５ａ、外側ホースガイド７ａの三つのガイドにより構成されていることである。これらのガイドは、前記ホース折れ防止間隔で配置されている。
【００１８】
中間ホースガイドは、ホース収納部２の開口部５の側縁５ａであり、又、外側ホースガイドは、消火栓前面板６の開口部７の側縁７ａである。
内側ホースガイドは、ホース収納部２の内蔵されているガイドバー２０であり、例えば、Ｌ字状の山形鋼等により形成され、ホース収納部２の開口部５の側縁５ａ近傍に設けられている。この内側ホースガイド２０は、外側ホースガイド７ａと対向して配設されている。
なお、内側ホースガイド２０は、ホース３の繰り出し時に、内側ホースガイド２０の端部２０ａにホース３が引っ掛からないように丸みを形成しておく。
【００１９】
中間ホースガイド５ａは、内側及び外側のホースガイド７ａ、２０よりもホース収納部２の中心２ｃ側に突出している。この内側ホースガイド２０と外側ホースガイド７ａとの垂直方向の間隔、即ち、前後寸法ｄ３は、ホース最小曲げ半径の２倍以上である。
【００２０】
平面断面において、ホース収納部２の前面２ａと、中間と外側のホースガイド５ａ７ａを結ぶ連結線９ａと、消火栓前面板６とがなす図形の同房内角α、βのうち、小さい方の角度αが４５度以上である。
【００２１】
この様にすると、ホース繰り出し時に、該ホース３を開口部５，７で鋭角的に引かれても、次の理由によりホース折れ現象の発生を防止することができる。
（１）前記内側ホースガイド２０，外側ホースガイド７ａの離間距離ｄ３が充分にあること。
【００２２】
（２）ホース３が中間ホースガイド５ａで折れようとする手前で、ホース３は、外側ホースガイド７ａに接触し、中間ホースガイド５ａにおけるそれ以上の曲げは制限されること。
（３）上記同房内角の小さい方の角度が４５度以上なので、ホース３が充分に丸みを持てるようになること。
【００２３】
この実施の形態では、ホース収納部２の内部に内側ホースガイド２０を設けたので、消火栓装置の外側への突出が少なくなり、消火栓装置を薄く構成できる。
上記実施の形態２では、ホースの折れ防止用のホースガイドをホース通口の片側に３つ備えて構成したが、これを内側ホースガイド２０と他の一つ、即ち、、ホースガイド５ａ又は７ａの２つだけで構成しても良い。
この場合、前後寸法は、内側ホースガイド２０とホースガイド５ａ又はホースガイド７ａの前後方向の外側面間寸法とし、水平寸法は内側ホースガイド２０とホースガイド５ａ、又は、７ａの水平方向の寸法とする。
こうして、複数のホースガイドが、少なくともホース収納部内に設けられたホースガイドを有するよう構成することで、消火栓装置を薄く構成することができる。
なお、上記では、内側ホースガイド２０を固定式にしたが、内側ホースガイド２０をローラ式にしても良い。なお、内側ホースガイド２０、中間ホースガイド５ａ、外側ホースガイド７ａの三つのホース最小曲げ半径に対して大きければ、それだけホース折れが生じにくい。
【００２４】
この発明の実施の形態３を図４〜図６により説明するが、図１と同一図面符号は、その名称も機能も同一である。
この実施の形態と前記実施の形態１との主な相違点は、ホース収納部の開口部（ホース通口）において、ホース折れが発生する方の側のみに、ホースガイドを設けたことである。それは、以下の知見に基づくものである。
【００２５】
例えば、図５において、ホース収納部２の下方に収納されている傾斜（垂直を含む）するホース部分３１（斜線で示す部分）の繰り出し位置３５が、傾斜する部分３１における低い位置３３から繰り出されている。このホース部分３１が存在する側は、ホース収納部２の左側Ｎである。
【００２６】
繰り出されたホース３Ａを左に引くと、ホース３が繰り出される位置は、右下がりに傾斜するホース部分３１における低い位置３３、即ち、右の方がホース繰り出し位置３５であり、傾斜するホース部分３１における低い位置３３から繰り出されるホース部分のある側の側縁というのは、ホース収納部２の開口部５の左側Ｎの側縁５ａである。
【００２７】
ホース３Ａが鋭角的に左Ｎに引かれると、この繰り出し位置３５の曲がりＲが小さくなる方向なので、ホース３Ａ内の水圧がかかって（無圧の場合はホース３Ａの弾力で）真っ直ぐに（Ｒが大きく）なろうとするホース３Ａの抵抗を受ける。更に、繰り出し位置３５から開口部５までの間のホース３７の自重Ｗ１により抵抗を受ける。この二つの抵抗を受けてホース３Ａの側縁５ａにおける摩擦は、大きくなるので、益々ホースは引き出されにくくなるとともに、折れやすくなる。
【００２８】
一方、図６において、傾斜するホース部分３２の高い位置３４から繰り出されるホース部分がある側の側縁というのは、ホース収納部２の開口部５の右側Ｍの側縁５ｂである。この状態で繰り出されたホース３Ｂを鋭角的に右Ｍに引くと、左下がりに傾斜するホース部分３２の高い位置３４、即ち、右Ｍの方がホース繰り出し位置３６となり、ホースが繰り出される。
【００２９】
ほぼ垂直に巻装されているホース３８’の部分は、既に自重で降りてきていて、ホース３Ｂが引かれると、残りのホース３８（繰り出し位置３６から開口部５迄の間のホース）もホース自重Ｗ２により倒れ込む形なので、ホース３Ｂは引くのに抵抗がほとんどない。
【００３０】
その後のホース３Ｂは、図７に示されるように、ホース３Ｂが引かれることにより、繰り出し位置の曲がりＲが大きくなる方向なので、真っ直ぐに（Ｒが大きく）なろうとするホース内圧力、又は、ホース弾力は、ホース３の繰り出し抵抗を軽減させる方向に働く。そのため、ホース３Ｂは、折れることがなくなり、傾斜するホース部分３２の高い位置３４から繰り出されるホース部分３２が存在する、右側Ｍの側縁５ｃには、ホース折れ防止対策は、不要となる。
なお、ホース３の巻き方が逆巻きであれば、ホース折れ防止対策が必要となるのは、上述の逆側となる。
【００３１】
そこで、この実施の形態では、図４に示すように、ホース収納部２の開口部５の左側の側縁５ａと、消火栓装置前面板６の開口部７の左側の側縁７ａにのみホース折れ防止のため、ホースガイド機能を持たせ、その右側の側縁５ｃ、７ｃにはホース折れ防止のためのホースガイド機能を持たない様にしたことである。この様にすると、構造を簡単にすることが出来る。
【００３２】
この発明の実施の形態４を図８により説明する。
この実施の形態では、ホース収納部２をかご型に形成する。このホース収納部２の中央部には、円環１２によりホース通口１３を形成し、該円環１２に支持体１５を介してガイドリング１７を突設する。このガイドリング１７は、ホースガイドであり、該ガイドリング１７と円環１２は、前記ホース折れ防止間隔で配設されている。
【００３３】
前記ホースリング１７は、ホース収納部２の内側に配設しても良い。
又、前記実施の形態３の様に、傾斜するホース部の低い位置から繰り出されるホース部がある側の側縁近傍にのみにホースガイドを設けても良い。
また、上記実施の形態では、ホースガイドをホース収納部の開口部の側縁と、消火栓前面板の開口部の側縁とを選んでいたが、ホース収納部の開口部の側縁とホース収納部内や、消火栓前面板の開口部の側縁とホース収納部内を選ぶようにようにしても良い。
【００３４】
【発明の効果】
この発明は、前記ホース収納部のホース通口の近傍に、ホース折れ防止間隔で、複数のホースガイドを配設したので、従来例に比べ、簡単な構造でホース折れ現象の発生を防止することが出来る。
【図面の簡単な説明】
【図１】本発明の実施の形態１を示す水平断面図である。
【図２】本発明の実施の形態２を示す水平断面図である。
【図３】本発明の実施の形態２の内側から見た斜視図である。
【図４】本発明の実施の形態３を示す水平断面図である。
【図５】ホースを開口部の左側から引き出す場合を示す正面図である。
【図６】ホースを開口部の右側から引き出す場合を示す図で、ホースの繰り出し開始時における正面図である。
【図７】図６の他の状態を示す正面図である。
【図８】本発明の実施の形態４を示す斜視図である。
【図９】図８の水平断面図である。
【符号の説明】
１　　内巻き式消火栓装置
２　　ホース収納部
３　　保形ホース
５　　開口部
５ａ　　側縁
６　　前面板
７　　開口部
７ａ　　　側縁
ｄ１　　水平寸法
ｄ２　　前後寸法
【図１】
2004121442.tif 000003
【図２】
2004121442.tif 000004
【図３】
2004121442.tif 000005
【図４】
2004121442.tif 000006
【図５】
2004121442.tif 000007
【図６】
2004121442.tif 000008
【図７】
2004121442.tif 000009
【図８】
2004121442.tif 000010
【図９】
2004121442.tif 000011